(57)【要約】      （修正有）【課題】募金と貯金とを、一つで可能とする貯金箱を提供する。【解決手段】募金兼用貯金箱は、貨幣を投入可能な複数の投入口と、投入口ごとに隔てられて設けられるとともに投入された貨幣を内部に収容可能な空間である複数の収容部と、を備え、複数の収容部は、募金用の貨幣を収容する募金用収容部１１と、貯金用の貨幣を収容する貯金用収容部１２と、を含む。シーソー板４１を揺動可能に指示するシーソー型台座４と、募金用収容部を内部に形成する募金用収容器３１と貯金用収容部を内部に形成する貯金用収容器３２を更に備え、募金用収容器は、第１のモチーフを模した外形を有し、貯金用収容器は、第２のモチーフを模した外形を有し、シーソー板の一方の端部に募金用収容器が設置され、他方の端部に貯金用収容器が設置される。【選択図】図１
0003210631.tif 000002
【実用新案登録請求の範囲】
【請求項１】
貨幣を投入可能な複数の投入口と、前記投入口ごとに隔てられて設けられるとともに当該投入口に投入された前記貨幣を内部に収容可能な空間である複数の収容部と、を備え、
前記複数の収容部は、募金用の貨幣を収容する前記収容部である募金用収容部と、貯金用の貨幣を収容する前記収容部である貯金用収容部と、を含む、
募金兼用貯金箱。
【請求項２】
シーソー板を揺動可能に支持するシーソー型台座と、前記募金用収容部を内部に形成する募金用収容器と、前記貯金用収容部を内部に形成する貯金用収容器を更に備え、
前記募金用収容器は、第１のモチーフを模した外形を有し、
前記貯金用収容器は、第２のモチーフを模した外形を有し、
前記シーソー型台座は、前記シーソー板における一方の端部に前記募金用収容器が設置され、前記シーソー板における他方の端部に前記貯金用収容器が設置される、
請求項１に記載の募金兼用貯金箱。
【請求項３】
前記投入口が設けられるとともに前記募金用収容部を内部に形成する募金用ケースと、前記投入口が設けられるとともに前記貯金用収容部を内部に形成する貯金用ケースと、前記募金用ケースと前記貯金用ケースを軸方向に配列して収容する外筒と、を更に備え、
前記外筒は、当該外筒の軸方向における両端に形成されるとともに前記外筒の内方へ屈曲したロック姿勢と当該屈曲が解除されたロック解除姿勢とで姿勢を切り替え自在な一対のロック片と、前記外筒の軸方向に配列して設けられた複数の導入口と、を有し、
前記ロック片は、前記ロック姿勢のときには、前記外筒の内部に収容された前記募金用ケースと前記貯金用ケースを前記外筒の軸方向における両側から挟むことによって当該募金用ケースと当該貯金用ケースの前記外筒の軸方向における移動を規制し、前記ロック解除姿勢のときには、前記募金用ケースと前記貯金用ケースの前記外筒の軸方向における移動の規制を解除することによって当該募金用ケースと当該貯金用ケースを前記外筒から出し入れ可能とし、
前記複数の導入口は、前記一対のロック片が前記ロック姿勢のときに、前記外筒に収容された前記募金用ケースと前記貯金用ケースの前記投入口と重複する位置に設けられている、
請求項１に記載の募金兼用貯金箱。
【考案の詳細な説明】
【技術分野】
【０００１】
本考案は、募金兼用貯金箱の技術に関する。
【背景技術】
【０００２】
従来、さまざま形態の貯金箱が広く知られている。例えば、特許文献１には、動物に餌を与える形で硬貨が投入されると、使用者を楽しませるような動きを示すことで、貯金への興味をそそる貯金箱が開示されている。
【先行技術文献】
【特許文献】
【０００３】
【特許文献１】特開２０１３−２５５６６２号公報
【考案の概要】
【考案が解決しようとする課題】
【０００４】
特許文献１などに例示される貯金箱は、一般に、私的利用を目的とした貯金に利用されるのが主である。一方で、公益や福祉の観点から、日常的に募金への意識を持つことは重要である。しかしながら、従来の貯金箱は、貨幣が貯められる空間が一つしかないため、貯金と募金の何れかでしか利用することができず、また、貯まった貨幣の一部を募金のために寄付しようにも、その選別に手間がかかるという問題があった。その結果、募金への意欲を起こさせ難かった。そのため、貯金と募金を一つの貯金箱で可能とする技術が求められている。
【０００５】
本考案は、上記の問題に鑑みてなされたものであり、募金と貯金とを、一つの貯金箱で可能とすることを目的とする。
【課題を解決するための手段】
【０００６】
上記課題を解決するため、本考案は、以下の手段を採用した。即ち、本考案は、
貨幣を投入可能な複数の投入口と、前記投入口ごとに隔てられて設けられるとともに当該投入口に投入された前記貨幣を内部に収容可能な空間である複数の収容部と、を備え、
前記複数の収容部は、募金用の貨幣を収容する前記収容部である募金用収容部と、貯金用の貨幣を収容する前記収容部である貯金用収容部と、を含む、
募金兼用貯金箱である。
【０００７】
本考案によれば、募金を目的とした貨幣が収容される募金用収容部と貯金を目的とした貨幣が収容される貯金用収容部とが互いに隔てられて設けられていることによって、募金（寄付）と貯金の両方を一つの貯金箱で別々に実現することができる。また、募金用収容部と貯金用収容部のそれぞれに投入口が設けられていることにより、使用者が貨幣を募金兼用貯金箱に投入する段階で、何れかの収容部に貨幣を貯めるのかを目的に応じて選択することができる。また、募金兼用貯金箱に貨幣を投入する度に、寄付と貯金の何れかを選択させるため、使用者に金銭の使い道を考えさせる機会を与えるとともに募金や寄付に対する意識を自然と芽生えさせることができる。
【０００８】
また、本考案は、
シーソー板を揺動可能に支持するシーソー型台座と、前記募金用収容部を内部に形成する募金用収容器と、前記貯金用収容部を内部に形成する貯金用収容器を更に備え、
前記募金用収容器は、第１のモチーフを模した外形を有し、
前記貯金用収容器は、第２のモチーフを模した外形を有し、
前記シーソー型台座は、前記シーソー板における一方の端部に前記募金用収容器が設置され、前記シーソー板における他方の端部に前記貯金用収容器が設置されてもよい。
【０００９】
これによれば、募金用収容器と貯金用収容器が揺動可能なシーソー板の両端に設置されているため、収容されている貨幣の総重量が相対的に重い方の収容器が相対的に下に位置する。これにより、使用者は、収容器の上下位置を視認することで、何れの収容器に相対的に多くの金額が貯められているのかを推定することができる。また、募金用収容器と貯金用収容器の重量バランスに応じて募金兼用貯金箱が揺動するため、使用者に動的な楽しみを提供することができる。その結果、使用者が無理なく寄付または貯金をすることができる。更に、募金用収容器が第１のモチーフを模しており、貯金用収容器が第２のモチーフを模していることにより、使用者がモチーフの動きを楽しむことができる。
【００１０】
また、本考案は、
前記投入口が設けられるとともに前記募金用収容部を内部に形成する募金用ケースと、前記投入口が設けられるとともに前記貯金用収容部を内部に形成する貯金用ケースと、前記募金用ケースと前記貯金用ケースを軸方向に配列して収容する外筒と、を更に備え、
前記外筒は、当該外筒の軸方向における両端に形成されるとともに前記外筒の内方へ屈曲したロック姿勢と当該屈曲が解除されたロック解除姿勢とで姿勢を切り替え自在な一対のロック片と、前記外筒の軸方向に配列して設けられた複数の導入口と、を有し、
前記ロック片は、前記ロック姿勢のときには、前記外筒の内部に収容された前記募金用ケースと前記貯金用ケースを前記外筒の軸方向における両側から挟むことによって当該募金用ケースと当該貯金用ケースの前記外筒の軸方向における移動を規制し、前記ロック解除姿勢のときには、前記募金用ケースと前記貯金用ケースの前記外筒の軸方向における移動の規制を解除することによって当該募金用ケースと当該貯金用ケースを前記外筒から出し入れ可能とし、
前記複数の導入口は、前記一対のロック片が前記ロック姿勢のときに、前記外筒に収容された前記募金用ケースと前記貯金用ケースの前記投入口と重複する位置に設けられていてもよい。
【００１１】
これによれば、募金用収容部を形成する募金用ケースと貯金用収容部を形成する貯金用ケースとを外筒に収容可能であることにより、募金用ケースと貯金用ケースとが外筒を介して接続されるため、募金兼用貯金箱とを一体化することができる。その結果、募金兼用貯金箱の保持や梱包、搬送の際の取り回しが容易となり、募金兼用貯金箱の利便性を向上することができる。また、募金兼用貯金箱をコンパクトに形成可能となるため、省スペース化を実現することができる。
【００１２】
また、外筒の両端に形成されたロック片が外筒の内方へ屈曲したロック姿勢となることによって、外筒に収容された複数のケースが外筒の軸方向の両側から挟まれ、複数のケースの外筒の軸方向への移動が規制されることにより、複数のケースが外筒に保持され、外筒からケースが脱落することや、ケースが外筒の軸方向へのガタつくことを抑制することができる。更に、導入口が投入口と重複していることにより、外筒の外部から導入口に投入された貨幣を当該導入口に重複する投入口に対応した収容部に導入することができる。そして、導入口が、外筒両端のロック片がロック姿勢のとき、即ち、ケースの軸方向への移動が規制された状態で投入口と重複していることから、導入口が投入口に対してずれることを抑制することができる。
【００１３】
尚、募金用ケースと貯金用ケースは、それぞれ、少なくとも１以上設けられていればよい。外筒に３つ以上のケースが収容されていてもよい。例えば、募金用ケースを１つ、貯金用ケースを使用者の人数分設けてもよい。
【００１４】
更に、ロック片がロック姿勢とロック解除姿勢とで姿勢を切り替え自在であることにより、ロック解除姿勢となることによってケースの外筒の軸方向における移動の規制を解除して、ケースを外筒に出し入れ自在とすることができる。また、ケースの移動の規制と当該規制の解除の切り替えをロック片の屈曲と当該屈曲の解除のみで行うため、簡単な構造でロック機構を実現することできる。また、ロック機構を外筒とは別の部材で形成する必要がないため、製造時の材料コストや組み付け工数を低減することができる。
【考案の効果】
【００１５】
本考案によれば、募金と貯金とを、一つの貯金箱で可能とすることができる。
【図面の簡単な説明】
【００１６】
【図１】第１実施形態に係る募金兼用貯金箱を正面から見た図である。
【図２】第１実施形態に係る募金兼用貯金箱を斜め後方から見た図である。
【図３】第１実施形態に係る募金兼用貯金箱の分解図である。
【図４】第１実施形態に係る募金兼用貯金箱を組み立てる動作を示す図である。
【図５】第２実施形態に係る募金兼用貯金箱の斜視図である。
【図６】第２実施形態に係る募金兼用貯金箱の分解図である。
【図７】外筒の構造を説明するための図である。
【図８Ａ】外筒を軸方向から見た図であって、ロック片がロック解除姿勢である状態を示す図である。
【図８Ｂ】外筒を軸方向から見た図であって、ロック片がロック姿勢である状態を示す図である。
【図９Ａ】ケースを形成するブランクを示す図である。
【図９Ｂ】外筒を形成するブランクを示す図である。
【図１０Ａ】第２実施形態に係る募金兼用貯金箱を組み立てる様子を示す図である。
【図１０Ｂ】第２実施形態に係る募金兼用貯金箱を組み立てる様子を示す図である。
【図１０Ｃ】第２実施形態に係る募金兼用貯金箱を組み立てる様子を示す図である。
【考案を実施するための形態】
【００１７】
次に、本考案の実施形態について、図面に基づいて説明する。但し、以下で説明する実施形態は本考案を実施するための例示であり、実施形態に記載されている構成要素の寸法、材質、形状、その相対配置等は、特に特定的な記載がない限りは、考案の技術的範囲をそれらのみに限定する趣旨のものではない。
【００１８】
＜第１実施形態＞
［構成］
まず、第１実施形態に係る貨幣収容箱の全体構成について説明する。図１は、第１実施形態に係る募金兼用貯金箱１００を正面から見た図である。図２は、募金兼用貯金箱１００を斜め後方から見た図である。図３は、募金兼用貯金箱１００の分解図である。図４は、募金兼用貯金箱１００を組み立てる動作を示す図である。図１に示すように、募金兼用貯金箱１００は、内部に貨幣を収容可能な募金用収容器３１と貯金用収容器３２と、地面に載置されて募金用収容器３１と貯金用収容器３２とを支持するシーソー型台座４と、によって構成されている。以下、各構成について説明する。
【００１９】
募金用収容器３１は、寄付を目的とした貨幣が貯められる募金箱であり、その外形が第１のモチーフを模している。本例では、募金用収容器３１は、ダルマを第１のモチーフとしている。貯金用収容器３２は、貯金を目的として貨幣が貯められる貯金箱であり、その外形が第２のモチーフを模している。本例では、貯金用収容器３２は、招き猫を第２のモチーフとしている。募金用収容器３１と貯金用収容器３２は、外形は異なるが、略同一の重量を有している。ここで、本明細書では、「寄付」は、公共事業、公益、福祉、宗教を
目的として金銭や財産などを無償で提供する行為を指し、「募金」は、寄付を広く募る行為を指す。また、本明細書では、「貯金」とは、寄付以外の私的な利用を目的に金銭を貯める行為を指す。また、「貯金箱」とは貨幣を収容可能な容器であり、「募金箱」は特に、寄付を目的とした貨幣が収容される容器である。尚、「貯金箱」と「募金箱」の外形は、方形に限定しない。以下、募金用収容器３１と貯金用収容器３２を区別せずに説明する場合は、単に収容器３と称する。
【００２０】
図２に示すように、収容器３の上部には、貨幣を投入可能な投入口２が設けられている。ここで、貨幣とは、硬貨、紙幣を含む。また、収容器３の内部には、投入口２から投入された貨幣を収容可能な空間である収容部１が形成されている。ここで、募金用収容器３１の内部に形成された収容部１を募金用収容部１１と称し、貯金用収容器３２の内部に形成された収容部１を、貯金用収容部１２と称する。換言すると、募金用収容部１１は、寄付を目的とした貨幣が貯められる空間であり、貯金用収容部１２は、貯金を目的とした貨幣が貯められた空間である。また、図３に示すように、収容器３の底部には、収容部１に収容された貨幣を取り出し可能な回収口３ａが開口している。
【００２１】
シーソー型台座４は、募金用収容器３１と貯金用収容器３２とが設置される台座であって、それらの重量バランスの変化に応じて揺動するシーソーとしても機能する。図３の破線で区分されるように、シーソー型台座４は、接地するとともに揺動の支点軸となる支点部４２と、支点部４２の上部に設けられたシーソー板４１と、シーソー板４１の両端付近の上面に設けられた固定部４３と、を有する。
【００２２】
支点部４２は略三角柱の形状を有しており、三角柱の面でシーソー板４１と接続され、三角柱の辺で接地する。これにより、接地端が支点軸として機能し、シーソー型台座４が接地端を軸に揺動可能となる。
【００２３】
シーソー板４１は、上面視において略長方形状を有しており、短手方向が支点軸の方向と一致するように形成されている。また、シーソー板４１は、長手方向の略中央付近において支点部４２の上部と接続されている。即ち、シーソー板４１の両端と支点軸との距離は略等しい。
【００２４】
固定部４３は、シーソー板４１の上面であって両端付近の位置から上方向に突出して形成されている。固定部４３は、それぞれ、シーソー板４１の一端に形成された第１固定部４３１と、他端に形成された第２固定部４３２である。第１固定部４３１と第２固定部４３２の、それぞれの支点部４２からの距離は略等しい。また、固定部４３は、収容器３の回収口３ａと嵌合可能に形成されている。
【００２５】
図４に示すように、第１固定部４３１を募金用収容器３１の回収口３ａに嵌合し、第２固定部４３２を貯金用収容器３２の回収口３ａに嵌合することによって、募金用収容器３１と貯金用収容器３２とがシーソー板４１の両端に固定される。これにより、図１に示す募金兼用貯金箱１００が組み立てられる。尚、固定部４３は、収容部１に収容された貨幣が収容部１の外部に零れ落ちるのを抑制するための蓋としても機能する。
【００２６】
また、図１，４に示すように、シーソー板４１の側面には、それぞれの収容器３の目的を表す文字や、それらを意味するマークや絵柄が印刷、刻印などによって表示されている。本例では、シーソー板４１の側面における第１固定部４３１側、即ち、募金用収容器３１が固定される側に、募金箱であることを示唆する「ＦｏｒＴｈｅ Ｗｏｒｌｄ」の文字
が表示されている。そして、シーソー板４１の側面における第２固定部４３２側、即ち、貯金用収容器３２が固定される側には、貯金箱であることを示唆する「ＦｏｒＭｅ」の文字が表示されている。これにより、シーソー板４１の両端に固定された収容器３のうち、
何れが募金用収容器３１で何れが貯金用収容器３２であるのかが、使用者にとって一目瞭然となる。但し、これらの文字は表示の一例であり、本考案を限定するものではない。
【００２７】
［動作］
上述したように、シーソー板４１の両端に設置された募金用収容器３１と貯金用収容器３２は互いに同一重量を有しているため、それぞれの収容部１が空のときには、シーソー型台座４は釣り合いのとれた状態となり、シーソー板４１は地面と水平となる。
【００２８】
この状態から、何れかの収容器３に硬貨が投入されることによって、募金用収容部１１に貯められた貨幣の総重量と貯金用収容部１２に貯められた貨幣の総重量に差が生じると、シーソー型台座４にモーメントが作用し、シーソー型台座４が接地端を支点軸として回動する。その結果、貯められた貨幣の総重量が相対的に重い方の収容器３が下降し、軽い方の収容器３が上昇する。使用者は、何れの収容器３が下がっているかを視認することにより、貨幣の総重量が相対的に重い方の収容器３を容易に判別することができる。
【００２９】
［作用・効果］
このような募金兼用貯金箱１００を使用する場合、使用者は、まず、収容器３のモチーフやシーソー板４１に表示された文字などの外見上の特徴を視認することによって、募金用収容器３１と貯金用収容器３２を判別する。本実施形態に係る募金兼用貯金箱１００は、第１のモチーフと第２のモチーフとを別々のものとしているため、使用者は、募金用収容器３１と貯金用収容器３２とを容易に識別することができる。そして、使用者は、金銭を貯める目的に応じて募金用収容器３１と貯金用収容器３２の何れかを選択し、寄付のために貯める場合は募金用収容器３１の投入口２に貨幣を投入し、貯金のために貯める場合は貯金用収容器３２の投入口２へ貨幣を投入する。収容器３に投入された貨幣は、収容部１に貯められる。募金用収容部１１と貯金用収容部１２のそれぞれに貯まった貨幣の総重量のバランスに応じて、収容器３が上下する。収容部１に貯められた貨幣を取り出す場合は、収容器３の回収口３ａから固定部４３を抜去することによって、回収口３ａの蓋を開放すればよい。
【００３０】
以上説明したように、第１実施形態に係る募金兼用貯金箱１００は、投入口２ごとに隔てられて設けられた募金用収容部１１と貯金用収容部１２を有している。そして、募金用収容部１１は寄付（募金）を目的とした貨幣を収容可能であり、貯金用収容部１２は貯金を目的とした貨幣を収容可能である。募金用の貨幣を収容する募金用収容部１１と貯金用の貨幣を収容する貯金用収容部１２が互いに隔てられて設けられていることによって、寄付と貯金の両方を一つの募金兼用貯金箱１００で別々に実現することができる。また、募金用収容部１１と貯金用収容部１２のそれぞれに投入口２が設けられていることにより、使用者が貨幣を募金兼用貯金箱１００に投入する段階で、何れかの収容部１に貨幣を貯めるのかを目的に応じて選択することができる。また、募金兼用貯金箱１００に貨幣を投入する度に、寄付と貯金の何れかを選択させるため、使用者に金銭の使い道を考えさせる機会を与えるとともに募金や寄付に対する意識を自然と芽生えさせることができる。
【００３１】
更に、募金用収容部１１は募金用収容器３１によって形成され、貯金用収容部１２は貯金用収容器３２によって形成されており、募金用収容器３１と貯金用収容器３２は、揺動可能なシーソー板４１の両端に設置されている。そのため、収容されている貨幣の総重量が相対的に重い方の収容器３が相対的に下に位置する。これにより、使用者は、収容器３の上下位置を視認することで、何れの収容器３に相対的に多くの金額が貯められているのかを推定することができる。また、募金用収容器３１と貯金用収容器３２の重量バランスに応じて募金兼用貯金箱１００が揺動するため、使用者に動的な楽しみを提供することができる。その結果、使用者が無理なく寄付または貯金をすることができる。
【００３２】
また、募金用収容器３１は第１のモチーフを模しており、貯金用収容器３２は第２のモチーフを模している。これにより、使用者は、モチーフの動きを楽しむことができる。
【００３３】
ここで、収容器３の材料は特に限定しない。収容器３の材料には、プラスチック、木材、紙材料など、様々な材料を選択することができる。例えば、収容器３を無地の張子で形成することにより、使用者が収容器３を自由に彩色してオリジナルの貨幣収容箱を作成することができる。
【００３４】
尚、募金用収容器３１と貯金用収容器３２が模するモチーフは、上述の例に限定されない。第１のモチーフと第２のモチーフは、動植物、物品、キャラクターなど、多様な分野の中から任意のものを選択することができる。
【００３５】
また、第１のモチーフは、寄付金の用途に応じたモチーフとしてもよい。例えば、海の生物を保護する活動に対する寄付の場合、第１のモチーフを、ウミガメなどの海の生物としてもよい。それにより、使用者は募金兼用貯金箱１００を視認する度に寄付の目的を認識することができ、使用者の寄付に対する意欲を維持または向上させることができる。
【００３６】
また、第１のモチーフと、第２のモチーフは、必ずしも異なるモチーフでなくともよい。募金用収容器３１と貯金用収容器３２は同一のモチーフを模してもよい。但し、本実施形態に係る募金兼用貯金箱１００は、第１のモチーフと第２のモチーフとを、別々のものとすることによって、募金用収容器３１と貯金用収容器３２との違いをより分かり易く使用者の視覚に訴えることができる。そのため、募金用の収容器３と貯金用の収容器３との区別が容易となり、使用者が誤って意図しない方の収容器３に貨幣を投入することが抑制される。
【００３７】
また、募金用収容器３１と貯金用収容器３２の重量は、略同一としなくともよい。例えば、募金用収容器３１の重量を貯金用収容器３２よりの重量よりもあえて軽くしてもよい。そうすると、募金用収容器３１と貯金用収容器３２に収容されている貨幣の重量が同程度である場合は、シーソー板４１は貯金用収容器３２側に傾くことにより、募金用収容器３１が貯金用収容器３２よりも上に位置することとなる。即ち、募金用収容器３１に貯金用収容器３２よりも多くの貨幣を収容しないと、シーソー型台座４の釣り合いがとれず、シーソー板４１が平行とならない。これにより、使用者に対して、視覚的に「募金額が少ない」という印象を与え、より多くの貨幣を募金用収容器３１に投入しようという気持ちを喚起することができる。尚、募金用収容器３１の重量は貯金用収容器３２よりの重量よりも重くてもよいのは勿論である。
【００３８】
＜第２実施形態＞
［構成］
次に、第２実施形態に係る募金兼用貯金箱２００について説明する。図５は、第２実施形態に係る募金兼用貯金箱２００を示す図である。図６は、募金兼用貯金箱２００の分解図である。図７は、外筒６の構造を説明するための図である。尚、図７では、外筒６の外面に印字された文字を省略している。図５に示すように、第２実施形態に係る募金兼用貯金箱２００は、全体として略正５角柱の形状を有しており、投入口２が設けられた２つのケース５（５１，５２）とケース５を収容可能な外筒６とによって構成されている。以下、各構成について説明する。
【００３９】
まず、ケース５について説明する。ケース５は、段ボール、クラフトボール紙、マニラボール紙等の紙材料によって形成され、内部に収容部１を形成する箱体である。２つのケース５は、それぞれ、募金用収容部１１と貯金用収容部１２を形成する。以下、２つのケース５を個別に説明するときは、募金用収容部１１を形成するケース５を募金用ケース５
１、貯金用収容部１２を形成するケース５を貯金用ケース５２と称する。募金用ケース５１と貯金用ケース５２は、同一の形状を有する。尚、募金用ケース５１が本発明の「募金用ケース」に相当し、貯金用ケース５２が本発明の「貯金用ケース」に相当する。
【００４０】
図６に示すように、ケース５は、略正５角柱の外形を形成しており、順番に連なる５つの側壁５ａ〜５ｅと、軸方向の両端に設けられた一対の対向する蓋壁５ｆ，５ｇとによって構成されている。ケース５の蓋壁５ｆ，５ｇは、側壁５ａのみと接続されることにより、側壁５ａとの境界線をヒンジにして折り曲げ可能に形成されている。これにより、蓋壁５ｆ，５ｇが収容部１を開閉自在な蓋として機能している。また、側壁５ａには、投入口２が設けられている。募金用ケース５１と貯金用ケース５２とを互いに区別可能とするために、募金用ケース５１の蓋壁５ｆ，５ｇに、募金を示唆する文字の一例として「Ｆｏｒ
ＴｈｅＷｏｒｌｄ」の文字が、貯金用ケース５２の蓋壁５ｆ，５ｇに、貯金を示唆する
文字の一例として「ＦｏｒＭｅ」の文字が、それぞれ印字されている。
【００４１】
次に、外筒６について説明する。図５に示すように、外筒６は、募金用ケース５１と貯金用ケース５２を軸方向に配列した状態で収容可能な、両端が開口した角筒である。外筒６は、段ボール、クラフトボール紙、マニラボール紙等の紙材料によって形成され、図６に示すように、順番に連なる側壁６ａ〜６ｅによって略正５角柱の外形を有している。詳細については後述するが、外筒６は、ケース５の側壁５ａ〜５ｅを覆うとともにケース５の軸方向の移動を規制することでケース５を保持する。
【００４２】
図６に示すように、外筒６の側壁６ａには、２つの導入口６１が軸方向に配列して設けられている。導入口６１は、募金兼用貯金箱２００において貨幣をケース５の投入口２に導く孔である。２つの導入口６１は、それぞれ、募金用ケース５１の投入口２に貨幣を導く募金用導入口６１１と、貯金用ケース５２の投入口２に貨幣を導く貯金用導入口６１２である。募金用導入口６１１の付近には、募金を示唆する「Ｆｏｒ Ｔｈｅ Ｗｏｒｌｄ」の文字が、貯金用導入口６１２の付近には、貯金を示唆する「Ｆｏｒ Ｍｅ」の文字が、
それぞれ印字されている。但し、これらの文字は一例であって、本考案を限定するものではない。また、図７に示すように、側壁６ｂを挟んで側壁６ａと連なる側壁６ｃには、軸方向に延在する長孔であるスライド孔６３が設けられている。以下、募金用導入口６１１が形成されている方の開口端を第１開口端６２１、貯金用導入口６１２が形成されている方の開口端を第２開口端６２２とする。
【００４３】
図７に示すように、外筒６の第１開口端６２１付近には、隣り合う側壁６ａと側壁６ｂの境界である辺Ｌ１と直交するスリットＳ１が形成されている。スリットＳ１は、側壁６ａの中途から側壁６ｂの中途まで延在している。スリットＳ１が形成されることにより、スリットＳ１と、当該スリットＳ１に近接する開口端である第１開口端６２１と、スリットＳ１の両端から第１開口端６２１まで軸方向と平行に延在するヒンジ線Ｈ，Ｈとによって囲まれた領域が、帯形状のロック片Ｃ１を形成している。図７では、ロック片Ｃ１をハッチングで示している。ロック片Ｃ１は、外筒６の軸方向においてはスリットＳ１と第１開口端６２１によって自由端となっており、軸方向と直交する方向においては、ヒンジ線Ｈ，Ｈにおいて固定端となっている。これにより、ロック片Ｃ１は、ヒンジ線Ｈ，Ｈを境に屈曲可能に形成されている。
【００４４】
同様に、第２開口端６２２付近に辺Ｌ１と直交するスリットＳ２が形成されることにより、ロック片Ｃ２が形成されている。また、側壁６ｃと側壁６ｄの境界である辺Ｌ２の両端付近に直交して、側壁６ｃの中途から側壁６ｄの中途まで延在するスリットＳ３，Ｓ４が形成されることにより、外筒６の両端にロック片Ｃ３，Ｃ４が形成されている。尚、スリットＳ３およびロック片Ｃ３が第１開口端６２１側に位置し、スリットＳ４およびロック片Ｃ４が第２開口端６２２側に位置している。また、第１開口端６２１側に形成されて
いるスリットＳ１とスリットＳ３は、軸方向において同位置に設けられている。同様に、第２開口端６２２側に形成されているスリットＳ２とスリットＳ４が、軸方向において同位置に設けられている。
【００４５】
次に、ロック片Ｃ１〜Ｃ４の機能について説明する。ロック片Ｃ１〜Ｃ４は、外筒６の内方に屈曲したロック姿勢と当該屈曲が解除されたロック解除姿勢とで切り替え可能に形成されている。以下、ロック片Ｃ２を例にして説明する。
【００４６】
図８Ａ−８Ｂは、外筒６を軸方向から見た図であって、第２開口端６２２側から見た図である。図８Ａは、ロック片Ｃ２が外筒６の内方に屈曲していないロック解除姿勢である状態を示し、図８Ｂは、ロック片Ｃ２が外筒６の内方に屈曲したロック姿勢である状態を示している。図８Ｂに示すように、ロック片Ｃ２は、外筒６の内方に屈曲することで、外筒６の内方に突出したロック姿勢となる。
【００４７】
ここで、図７に示すように、側壁６ａと側壁６ｂの境界線である辺Ｌ１をスリットＳ１，Ｓ２によって区切った際に、辺Ｌ１のうちロック片Ｃ２に含まれる部分を可動辺Ｌ１ａとし、スリットＳ１，Ｓ２に挟まれた部分を固定辺Ｌ１ｂとする。図８Ａに示すように、ロック片Ｃ２がヒンジ線Ｈにおいて屈曲していないロック解除姿勢では、可動辺Ｌ１ａと固定辺Ｌ１ｂとが重なり、同軸となっている。そのため、軸方向視において、第２開口端６２２が、ケース５の軸方向視における形状である略正５角形に対して、略同等か若干大きい略正５角形を形成している。これにより、ロック解除姿勢においては、ケース５に対してロック片Ｃ２が軸方向から当接しないようになっている。反対に、図８Ｂに示すように、ロック片Ｃ２がヒンジ線Ｈ，Ｈで折れ曲がることによって外筒６の内方に屈曲したロック姿勢となると、軸方向視において、可動辺Ｌ１ａが固定辺Ｌ１ｂよりも内側に位置する。これにより、第２開口端６２２の形状は、ケース５の軸方向視における形状である略正５角形に対して、ロック片Ｃ２の部分が凹んだ形状となる。即ち、即ち、外筒６の内方に形成される空間の軸方向における断面積は、可動辺Ｌ１ａの部分における断面積の方が固定辺Ｌ１ｂの部分における断面積よりも小さくなっている。これにより、ロック片Ｃ２が軸方向からケース５の蓋壁５ｆまたは蓋壁５ｇの外側に当接するため、ケース５を第２開口端６２２から外筒６に挿入することや、外筒６に収容されたケース５を第２開口端６２２から取り出すことが規制（ロック）される。使用者がロック片Ｃ２をロック解除姿勢からロック姿勢とするには、可動辺Ｌ１ａを外筒６の内方へ押し込んでロック片Ｃ２を外筒６の内方に屈曲させればよい。ロック片Ｃ２は、材料である紙材料の弾性に由来する反発力によってロック姿勢を維持される。反対に、ロック片Ｃ２をロック姿勢からロック解除姿勢とするには、固定辺Ｌ１ｂに対して凹んでいる可動辺Ｌ１ａを外筒６の内側から外側へ押せばよい。すると、ロック片Ｃ２に働く反発力によって、屈曲した状態が解除され、ロック片Ｃが速やかにロック解除姿勢へと至る。尚、他のロック片Ｃ１，Ｃ３，Ｃ４においても、ロック片Ｃ２と同様に、外筒６の内方への屈曲と当該屈曲の解除を切り替えることによって、それぞれ、ロック姿勢とロック解除姿勢を切り替えることができる。また、以下の説明において、ロック片Ｃ１〜Ｃ４を区別しないで説明するときには、単にロック片Ｃと表記する。詳細については後述するが、募金兼用貯金箱２００は、外筒６の両端のロック片Ｃをロック姿勢とすることで、外筒６の収容されたケース５を軸方向の両側から挟み、ケース５が外筒６の軸方向へ移動することを規制する。
【００４８】
［ブランク］
本実施形態に係るケース５および外筒６は、図９Ａ−９Ｂに示すブランクを折り込み線（罫線）に沿って折り込むことで成形されている。図９Ａに示すブランクＢ１は、ケース５を成形するためのブランクであり、図９Ｂに示すブランクＢ２は、外筒６を成形するためのブランクである。図９Ａ−９Ｂは、それぞれ、ブランクＢ１，Ｂ２の内面（裏面）を示している。ブランクＢ１の内面（裏面）は、成形後においてケース５および外筒６の内
面を形成する方の面である。図示しないブランクＢ１，Ｂ２の外面（表面）には、上述した「Ｆｏｒ Ｔｈｅ Ｗｏｒｌｄ」や「ＦｏｒＭｅ」といった文字や、ブランドロゴ、装飾用の絵柄等が印刷されている。以下、ブランクＢ１，Ｂ２を構成する各パネル同士の位置関係について説明するが、その際の上下左右方向は図９Ａ−９Ｂに示すブランクの姿勢を基準にして説明するものであり、成形後の募金兼用貯金箱２００における各方向に対応するものではない。
【００４９】
図９Ａに示すように、ブランクＢ１は、ケース５において側壁５ａ〜５ｅを形成する側壁パネルＰ５ｄ，Ｐ５ｅ，Ｐ５ａ，Ｐ５ｂ，Ｐ５ｃが、上から順番に連なっている。尚、図８Ａの左右方向が、ケース５における軸方向に対応する。募金兼用貯金箱２００において、側壁パネルＰ５ａが側壁５ａを、側壁パネルＰ５ｂが側壁５ｂを、側壁パネルＰ５ｃが側壁５ｃを、側壁パネルＰ５ｄが側壁５ｄを、側壁パネルＰ５ｅが側壁５ｅを、それぞれ形成する。側壁パネルＰ５ａの両側縁には、ケース５において蓋壁５ｆ，Ｐ５ｇを形成する一対の蓋壁パネルＰ５ｆ，Ｐ５ｇが連なっている。蓋壁パネルＰ５ｆ，Ｐ５ｇは、略正５角形に形成され、一辺において側壁パネルＰ５ａの側縁と接続されている。また、側壁パネルＰ５ａ〜５ｅの上下方向の幅は、蓋壁パネルＰ５ｆ，Ｐ５ｇの一辺の長さと略等しい。側壁パネルＰ５ｃの下縁には、ケース５を成形するために側壁パネルＰ５ｄの内面と接着される接着パネルＰ１が連なっている。側壁パネルＰ５ａにおける上下左右の中央付近には、投入口２が形成されている。
【００５０】
側壁パネルＰ５ｂの両側縁には、補強フラップＰ２，Ｐ３が連なっている。補強フラップＰ２は、ケース５の蓋壁５ｆを補強し、補強フラップＰ３は、蓋壁５ｇを補強するためのフラップである。同様に、側壁パネルＰ５ｄの両側縁には、蓋壁５ｆを補強する補強フラップＰ４と、蓋壁５ｇを補強する補強フラップＰ５が連なっている。また、蓋壁パネルＰ５ｆには、ケース５の側壁５ｂ，５ｅを補強するための補強フラップＰ６，Ｐ７が、蓋壁パネルＰ５ｇには、ケース５の側壁５ｂ，５ｅを補強するための補強フラップＰ８，Ｐ９がそれぞれ連なっている。
【００５１】
図９Ａにおける破線は、ブランクＢ１の折り込み線を表す。図示の折り込み線に沿ってブランクＢ１を折り込み、接着パネルＰ１を側壁パネルＰ５ｄの内面に接着することでケース５が成形される。そして、両蓋壁５ｆ，５ｇの補強フラップＰ６〜Ｐ９をケース５の内側に差し込むことによって、ケース５に蓋がなされ、収容部１が形成される。
【００５２】
図９Ｂに示すように、ブランクＢ２は、外筒６において側壁６ａ〜６ｅを形成する側壁パネルＰ６ｅ，Ｐ６ａ，Ｐ６ｂ，Ｐ６ｃ，Ｐ６ｄが、上から順番に連なっている。尚、図示される左右方向が、外筒６における軸方向に対応する。募金兼用貯金箱２００において、側壁パネルＰ６ａが側壁６ａを、側壁パネルＰ６ｂが側壁６ｂを、側壁パネルＰ６ｃが側壁６ｃを、側壁パネルＰ６ｄが側壁６ｄを、側壁パネルＰ６ｅが側壁６ｅを、それぞれ形成する。また、側壁パネルＰ６ａ〜Ｐ６ｅの上下方向の幅は、側壁パネルＰ５ａ〜Ｐ５ｅの上下方向の幅と略等しいか若干大きい。側壁パネルＰ６ｄの下縁には、外筒６を成形するために側壁パネルＰ６ｅの内面と接着される接着パネルＰ１０が連なっている。
【００５３】
ブランクＢ２の右側端付近には、側壁パネルＰ６ａと側壁パネルＰ６ｂに跨った範囲と側壁パネルＰ６ｃと側壁パネルＰ６ｄに跨った範囲において、スリットＳ１，Ｓ３が上下方向に延在して形成されている。同様に、ブランクＢ２の左側端付近には、側壁パネルＰ６ａと側壁パネルＰ６ｂに跨った範囲と側壁パネルＰ６ｃと側壁パネルＰ６ｄに跨った範囲において、スリットＳ２，Ｓ４が上下方向に延在して形成されている。ブランクＢ２に形成されているスリットＳ１〜Ｓ４の長さは全て同じである。また、スリットＳ３はスリットＳ１と、スリットＳ４はスリットＳ２と、左右方向において同じ位置に設けられている。
【００５４】
ここで、ブランクＢ２において、スリットＳ１（Ｓ３）から他方の側端側に形成されているスリットＳ２（Ｓ４）に挟まれる領域を収容領域Ｒ１とする。収容領域Ｒ１は、募金兼用貯金箱２００において、募金用ケース５１および貯金用ケース５２が収容される空間を形成する領域である。収容領域Ｒ１の左右方向の幅は、ケース５の側壁パネルＰ５ａ〜Ｐ５ｅの軸方向の長さ、即ち、ケース５の軸方向の長さの略２倍である。これにより、募金兼用貯金箱２００において、募金用ケース５１と貯金用ケース５２が、互いに当接した状態で軸方向からロック姿勢のロック片Ｃ１，Ｃ３とロック姿勢のロック片Ｃ２，Ｃ４とによって挟まれる。ここで、図中、Ｍの符号で示される鎖線は、収容領域Ｒ１の左右方向における中央線を示す。側壁パネルＰ６ａには、募金用導入口６１１と貯金用導入口６１２が設けられている。募金用導入口６１１と貯金用導入口６１２は、上下方向においては、側壁パネルＰ６ａの中央に位置している。また、左右方向においては、募金用導入口６１１が中央線ＭとスリットＳ１（Ｓ３）との中間に位置し、貯金用導入口６１２が中央線ＭとスリットＳ２（Ｓ４）との中間に位置している。これにより、募金兼用貯金箱２００において、ケース５の投入口２と導入口６１とが重複する。
【００５５】
また、側壁パネルＰ６ｄの上下左右の中央付近には、スライド孔６３が形成されている。
【００５６】
図９Ｂにおける破線は、ブランクＢ１の折り込み線を表しており、折り込み線に沿ってブランクＢ２を折り込み、接着パネルＰ１０を側壁パネルＰ６ｅの内面に接着することで外筒６が成形される。
【００５７】
［組み立て］
以上のように成形された募金用ケース５１と貯金用ケース５２、および外筒６を組み合わせることによって募金兼用貯金箱２００が形成される。図１０Ａ−１０Ｃは、募金兼用貯金箱２００を組み立てる様子を示す図である。以下、募金兼用貯金箱２００の組み立て方法について説明する。
【００５８】
募金兼用貯金箱２００の組み立てでは、まず、第１開口端６２１と第２開口端６２２のうち、一方の側のロック片Ｃを屈曲させてロック姿勢とし、他方の端部側のロック片Ｃをロック解除姿勢にする。以下、例として、図１０Ａに示すように、第１開口端６２１側のロック片Ｃであるロック片Ｃ１，Ｃ３を屈曲させてロック姿勢とし、第２開口端６２２側のロック片Ｃであるロック片Ｃ２，Ｃ４をロック解除姿勢とする場合について説明する。この場合、外筒６は、第２開口端６２２においてケース５を内部に出し入れ可能であり、第１開口端６２１においてケース５の出し入れが不可能となっている。
【００５９】
次に、ケース５を外筒６に収容する。ケース５を収容するには、ケース５の軸方向を外筒６の軸方向と一致させてケース５を第１開口端６２１から外筒６の内部に挿入し、軸方向にスライドさせればよい。ケース５は、蓋壁５ｆ，５ｇの何れを先頭にして外筒６に挿入されてもよいが、本例では、蓋壁５ｇを先頭にする。このようにして、まず、募金用ケース５１を外筒６に収容する。募金用ケース５１は、蓋壁５ｇが第１開口端６２１側のロック片Ｃ１，Ｃ３に当接する位置までスライドされる。第２開口端６２２から指を入れて募金用ケース５１を当該位置まで押し込むのが困難である場合は、図１０Ａに示すように、スライド孔６３から指を入れて募金用ケース５１に接触することで募金用ケース５１をスライドさせてもよい。募金用ケース５１がロック片Ｃ１，Ｃ３に当接する位置に至ることで、募金用ケース５１の第１開口端６２１側への移動が規制され、募金用ケース５１をそれ以上第１開口端６２１側にスライドすることができない状態となる。
【００６０】
同様にして、図１０Ｂに示すように、貯金用ケース５２を第２開口端６２２から外筒６
に挿入する。貯金用ケース５２の蓋壁５ｇが募金用ケース５１の蓋壁５ｆに当接する位置までスライドすることで、貯金用ケース５２の第１開口端６２１側への移動が規制され、貯金用ケース５２をそれ以上第１開口端６２１側にスライドできない状態となる。
【００６１】
最後に、図１０Ｃに示すように、ロック解除姿勢にある第２開口端６２２側のロック片Ｃ２，Ｃ４を外筒６の内方に屈曲させてロック姿勢とすることで、ケース５の第２開口端６２２側への移動を規制する。以上のようにして、募金兼用貯金箱２００が組み立てられる。募金兼用貯金箱２００では、ロック片Ｃ２，Ｃ４が、貯金用ケース５２の蓋壁５ｆに軸方向から当接している。これにより、募金用ケース５１と貯金用ケース５２が、互いに当接した状態で、ロック片Ｃ１，Ｃ３とロック片Ｃ２，Ｃ４とによって、軸方向から挟まれた状態となる。その結果、第１開口端６２１や第２開口端６２２からケース５が抜け落ちることが抑制されている。また、この状態では、ロック片Ｃ１，Ｃ３に募金用ケース５１の蓋壁５ｇが当接し、募金用ケース５１の蓋壁５ｆに貯金用ケース５２の蓋壁５ｇが当接し、貯金用ケース５２の蓋壁５ｆにロック片Ｃ２，Ｃ４が当接した状態となっている。その結果、募金用ケース５１と貯金用ケース５２の軸方向への移動が完全に規制され、ケース５の軸方向のガタつきが抑制されている。
【００６２】
また、外筒６の断面形状がケース５の断面形状と略同等または若干大きな相似形に形成されているため、外筒６は、ケース５の側壁に殆ど密着した状態でケース５を覆っている。加えて、ケース５と外筒６の断面形状がともに略正５角形であることから、ケース５を外筒６に対して軸回りに回転させようとすると、ケース５と外筒６の互いに対向する側壁同士が当接するため、ケース５の軸回りの回転が規制されている。その結果、ケース５の軸回りのガタつきが抑制されている。
【００６３】
また、図５に示すように、募金兼用貯金箱２００は、募金用導入口６１１と募金用ケース５１の投入口２とが重複し、貯金用導入口６１２と貯金用ケース５２の投入口２とが重複している。そして、募金用ケース５１と貯金用ケース５２の軸方向の移動および軸回りの回転が規制されることによって、投入口２と導入口６１とが重なった状態が維持され、投入口２と導入口６１とのずれが抑制される。
【００６４】
尚、外筒６からケース５を取り出す場合は、一方、または両方の開口端のロック片Ｃをロック解除姿勢にして、ロック片Ｃによるケース５の軸方向における移動の規制を解除する。そして、移動の規制が解除された側へケース５をスライドさせればよい。
【００６５】
［作用・効果］
このような募金兼用貯金箱２００を使用する場合、使用者は、まず、金銭を貯める目的に応じて募金用導入口６１１と貯金用導入口６１２の何れかを選択して貨幣を投入する。募金用導入口６１１に投入された貨幣は、外筒６に収容された募金用ケース５１の投入口２に導かれ、募金用ケース５１内部の募金用収容部１１に収容される。同様に、貯金用導入口６１２に投入された貨幣は、外筒６に収容された貯金用ケース５２の投入口２に導かれ、貯金用ケース５２内部の貯金用収容部１２に収容される。収容部１に貯められた貨幣を回収する場合は、ロック片Ｃをロック解除姿勢にすることで外筒６からケース５を取り出し、取り出したケース５の蓋壁５ｆ，５ｇを開ければよい。
【００６６】
以上のように、第２実施形態に係る募金兼用貯金箱２００は、第１実施形態に係る募金兼用貯金箱１００と同様に、投入口２ごとに隔てられて設けられた募金用収容部１１と貯金用収容部１２を有しており、募金用収容部１１は寄付を目的とした貨幣を収容可能であり、貯金用収容部１２は貯金を目的とした貨幣を収容可能である。
【００６７】
第２実施形態に係る募金兼用貯金箱２００は、更に、募金用収容部１１を形成する募金
用ケース５１と貯金用収容部１２を形成する貯金用ケース５２とを外筒６に収容可能である。これにより、募金用ケース５１と貯金用ケース５２が外筒６を介して接続されるため、募金兼用貯金箱２００を一体化することができる。その結果、募金兼用貯金箱２００の利便性を向上することができる。具体的には、募金兼用貯金箱２００の保持や梱包、搬送の際の取り回しが容易となる。また、募金兼用貯金箱２００をコンパクトに形成可能となるため、省スペース化を実現することができる。
【００６８】
また、外筒６の両端に形成されたロック片Ｃが外筒６の内方へ屈曲したロック姿勢となることによって、外筒６に収容された募金用ケース５１と貯金用ケース５２とが外筒６の軸方向から挟まれ、ケース５の外筒６の軸方向への移動が規制される。これにより、ケース５が外筒６に保持され、外筒６からケース５が脱落することや、ケース５が外筒６の軸方向へのガタつくことを抑制することができる。
【００６９】
更に、外筒６には、募金用導入口６１１と貯金用導入口６１２が、外筒６の両端のロック片Ｃがロック姿勢のときに、外筒６に収容されている募金用ケース５１と貯金用ケース５２のそれぞれの投入口２と重複するように設けられている。導入口６１が投入口２と重複していることより、外筒６の外部から導入口６１に投入された貨幣を、重複する投入口２に対応する収容部１に導入することができる。そして、導入口６１は、外筒６の両端のロック片Ｃがロック姿勢のとき、即ち、ケース５の軸方向への移動が規制された状態で投入口２と重複していることから、導入口６１が投入口２に対してずれることを抑制することができる。
【００７０】
尚、ロック片Ｃは、外筒６の両端付近に２つずつ設けられているが、ロック片Ｃはロック姿勢となることによって募金用ケース５１と貯金用ケース５２とを軸方向から挟むことができればよく、両端付近に少なくとも１つ以上設けられた一対のロック片Ｃであればよい。また、ロック片Ｃが設けられる位置は、両端付近でなくともよく、外筒６に収容されている全てのケース５よりも第１開口端６２１側と第２開口端６２２側に設けられていればよい。
【００７１】
更に、ロック片Ｃは、ロック姿勢と、外筒６の内方への屈曲が解除されたロック解除姿勢とで姿勢を切り替え自在である。これにより、ロック解除姿勢となることによってケース５の外筒６の軸方向における移動の規制を解除して、ケース５を外筒６に出し入れ自在とすることができる。また、ケース５の移動の規制と当該規制の解除の切り替えをロック片Ｃの屈曲と当該屈曲の解除のみで行うため、簡単な構造でロック機構を実現することできる。また、ロック機構を外筒６とは別の部材で形成する必要がないため、製造時の材料コストや組み付け工数を低減することができる。
【００７２】
尚、ケース５の数量は上記に限定しない。募金兼用貯金箱２００は、募金用ケース５１と貯金用ケース５２を少なくとも１以上備えていればよく、外筒６に３つ以上のケース５が収容されていてもよい。例えば、募金用ケース５１を１つ、貯金用ケース５２を使用者の人数分設けてもよい。
【００７３】
また、外筒６とケース５の外形は、５角柱に限定されない。外筒６は、外筒６に対してケース５が軸回りに回転することを規制可能な形状であればよい。例えば、ケース５と外筒６は、軸方向における断面形状が互いに相似な多角形であればよい。
【００７４】
また、外筒６は、平坦面を有していることが好ましい。本実施形態に係る募金兼用貯金箱２００は、外筒６が角柱に形成されていることによって、平坦面で接地する。これにより、募金兼用貯金箱２００が机上や棚板に載置されたときに、姿勢が安定し、募金兼用貯金箱２００が転がる心配がない。
【００７５】
また、外筒６は、段ボール、クラフトボール紙、マニラボール紙等の紙材料によって形成されているが、本考案は、外筒６の材料を上記に限定しない。但し、外筒６は、上記の紙材料などに例示される弾性を有する材料で形成されるのが好ましい。それにより、弾性による反発力を利用し、ロック片Ｃのロック姿勢とロック解姿勢を維持するとともにロック姿勢とロック解除姿勢とを容易に切り替えることができる。
【００７６】
尚、上記した種々の内容は、本考案の技術的思想を逸脱しない範囲において可能な限り組み合わせることができる。
【符号の説明】
【００７７】
１・・・収容部
１１・・・募金用収容部
１２・・・貯金用収容部
２・・・投入口
３・・・収容器
３１・・・募金用収容器
３２・・・貯金用収容器
４・・・シーソー型台座
４１・・・シーソー板
４２・・・支点部
５・・・ケース
５１・・・募金用ケース
５２・・・貯金用ケース
６・・・外筒
Ｃ・・・ロック片
１００，２００・・・募金兼用貯金箱
【図１】
0003210631.tif 000003
【図２】
0003210631.tif 000004
【図３】
0003210631.tif 000005
【図４】
0003210631.tif 000006
【図５】
0003210631.tif 000007
【図６】
0003210631.tif 000008
【図７】
0003210631.tif 000009
【図８Ａ】
0003210631.tif 000010
【図８Ｂ】
0003210631.tif 000011
【図９Ａ】
0003210631.tif 000012
【図９Ｂ】
0003210631.tif 000013
【図１０Ａ】
0003210631.tif 000014
【図１０Ｂ】
0003210631.tif 000015
【図１０Ｃ】
0003210631.tif 000016